(57)【要約】【課題】配管の圧縮空気の導入部と吐出部が離れている場合であっても、洗浄済液を確認しながら洗浄操作を行なうことができる遠隔操作機能付き配管洗浄装置を提供する。【解決手段】遠隔操作機能付き配管洗浄装置は、圧縮空気を導入する導入口２３ｃ及び圧縮空気を配管内へ吐出する吐出口２６ｃを有してなるとともに、電磁弁を収容してなる本体ケース１１、及び圧力調節用つまみ３５と操作盤が備え付けられている操作部から構成される。操作盤には、手動用開始／停止スイッチ３９、及び無線送信機からの洗浄開始／停止信号を受信可能な無線受信機が接続されている。配管の洗浄開始は、手動用開始／停止スイッチ３９による洗浄開始信号又は無線送信機からの洗浄開始信号によって行なわれる。【選択図】      図２
2005238122.tif 000002
【特許請求の範囲】
【請求項１】
圧縮空気をコンプレッサから内部に導入させる導入口及び圧縮空気を配管内へ吐出させる吐出口を有してなるとともに、該導入口と連結され、電気的な開閉操作により吐出口からの圧縮空気の吐出を許容又は規制するための開閉弁を収容してなる本体ケース、及び吐出間隔と送り込み時間を調節するとともに圧縮空気の吐出の開始／停止を手動により制御する手動用開始／停止スイッチが接続されている操作盤から構成され、手動用開始／停止スイッチによる洗浄開始信号により配管内に圧縮空気の送り込みが開始され配管内の洗浄が行なわれる配管洗浄装置において、
前記操作盤には、無線送信機からの洗浄開始／停止信号を受信可能に構成される無線受信機が接続され、配管の洗浄開始は、無線送信機からの洗浄開始信号によっても行なわれるよう構成されている遠隔操作機能付き配管洗浄装置。
【請求項２】
前記操作盤には、第１タイマ及び第２タイマが接続され、第２タイマは、前記開閉弁を設定した時間おきに繰り返し開閉させることにより圧縮空気の吐出間隔を制御し、第１タイマは、第２タイマの作動時間を設定することにより圧縮空気の送り込み時間を制御する請求項１に記載される遠隔操作機能付き配管洗浄装置。
【請求項３】
前記第１タイマ及び第２タイマは、圧縮空気の送り込み時間内において、前記手動用開始／停止スイッチ又は無線送信機からの停止信号により、洗浄を一時停止させるとともに、該一時停止中に手動用開始／停止スイッチ又は無線送信機からの開始信号により、洗浄を再開させるよう構成されている請求項２に記載される遠隔操作機能付き配管洗浄装置。
【発明の詳細な説明】
【技術分野】
【０００１】
本発明は、水道管等の配管に圧縮空気を送り込むことによって配管の洗浄を行なう配管洗浄装置に係り、詳しくは遠隔操作により制御可能に構成された遠隔操作機能付き配管洗浄装置に関する。
【背景技術】
【０００２】
一般に、水道管等の配管内壁に付着した油分、錆等の異物を除去する装置として、通水させながら圧縮空気を配管内に送り込み、その衝撃波（ウォーターハンマー作用）によって異物を除去する配管洗浄装置が知られている。従来より、配管を洗浄するための装置として、特許文献１に記載されるような配管洗浄装置が知られている。この配管洗浄装置は、空気を圧縮するコンプレッサ、圧縮空気の吐出を制御する電磁弁、該電磁弁を制御するための操作盤、及び圧縮空気を送り出すための吐出管等から構成されている。電磁弁等を収容する本体ケースの側面には、操作部が設けられており、該操作部には、圧縮空気の吐出間隔及び送り込み時間を調節するタイマ、圧縮空気の吐出開始／停止を制御する開始／停止スイッチ等が接続される操作盤が設けられている。配管の洗浄は、配管洗浄装置の吐出管と導入部である水道管等の蛇口とを接続し、電磁弁を操作部で操作しながら圧縮空気を送り込むとともに、吐出部である別の蛇口から洗浄済液を吐出させることにより行なわれていた。配管洗浄装置の洗浄開始／停止の操作は、配管洗浄装置の吐出管が接続される蛇口とは別の蛇口から吐出される洗浄済液を確認しながら行なっていた。
【特許文献１】特開２００３−２９０７３０
【発明の開示】
【発明が解決しようとする課題】
【０００３】
ところが、上記のように構成された配管洗浄装置は、圧縮空気を導入させる蛇口と圧縮空気を吐出させる蛇口が離れている場合、洗浄済液を確認しながら操作部における電磁弁の操作を行なうことが困難であった。
【０００４】
本発明は、従来技術の上記問題を解決するためになされたもので、その目的は、配管の圧縮空気の導入部と吐出部が離れている場合であっても、洗浄済液を確認しながら洗浄操作を行なうことができる遠隔操作機能付き配管洗浄装置を提供することにある。
【課題を解決するための手段】
【０００５】
請求項１に記載される発明は、圧縮空気をコンプレッサから内部に導入する導入口及び圧縮空気を配管内へ吐出する吐出口を有してなるとともに、該導入口と連結され、電気的な開閉操作により吐出口からの圧縮空気の吐出を許容又は規制するための開閉弁を収容してなる本体ケース、及び吐出間隔と送り込み時間を調節するとともに圧縮空気の吐出の開始／停止を手動により制御する手動用開始／停止スイッチが接続されている操作盤から構成され、手動用開始／停止スイッチによる洗浄開始信号により配管内に圧縮空気の送り込みが開始され、配管内の洗浄が行なわれる配管洗浄装置において、前記操作盤には、無線送信機からの洗浄開始／停止信号を受信可能に構成される無線受信機が接続され、配管の洗浄開始は、無線送信機からの洗浄開始信号によっても行なわれるよう構成されている。
【０００６】
請求項２に記載される発明は、請求項１に記載される発明において、前記操作盤には、第１タイマ及び第２タイマが接続され、第２タイマは、前記開閉弁を設定した時間おきに繰り返し開閉させることにより圧縮空気の吐出間隔を制御し、第１タイマは、第２タイマの作動時間を設定することにより圧縮空気の送り込み時間を制御するものである。
【０００７】
請求項３に記載される発明は、請求項２に記載される発明において、前記第１タイマ及び第２タイマは、圧縮空気の送り込み時間内において、前記手動用開始／停止スイッチ又は無線送信機からの停止信号により、洗浄を一時停止させるとともに、該一時停止中に手動用開始／停止スイッチ又は無線送信機からの開始信号により、洗浄を再開させるよう構成されている。
【発明の効果】
【０００８】
本発明によれば、配管の圧縮空気の導入部と吐出部が離れている場合であっても、洗浄済液を確認しながら洗浄操作を行なうことができる遠隔操作機能付き配管洗浄装置を提供することができる。
【発明を実施するための最良の形態】
【０００９】
以下、本発明を遠隔操作機能付き配管洗浄装置に具体化した一実施形態を図１〜図４にしたがって説明する。
図１〜図４に示されるように、遠隔操作機能付き配管洗浄装置（以下、「配管洗浄装置」と記載する）は、横長箱形状の本体ケース１１から構成されている。本体ケース１１は、正面側１１ａ及び背面側１１ｂのそれぞれに開口部を有する四角筒状の収容体１２、該収容体１２の各開口部をそれぞれ閉口するよう取り付けられる正面側枠体１３及び背面側枠体１４、並びに各枠体の外面をそれぞれ覆うよう取り付けられる正面側蓋体１５及び背面側蓋体１６から構成されている。
【００１０】
収容体１２は、合成樹脂により成型され、底面に脚部１２ａが形成されるとともに、収容体１２の左側面１２ｂ上部に配管洗浄装置を操作するための操作部１７が設けられる凹設部１２ｃが形成されている。左側面１２ｂの下部中央には、第１凹部１２ｄが設けられ、その中心部に第１孔１２ｅが開口されている。収容体１２の右側面１２ｆ中央には、第２凹部１２ｇが設けられ、その中心部に第２孔１２ｈが開口されている。収容体１２の上面中央部には、ハンドル部材１８が一体的に取り付けられるとともに、上面右側には第３孔１２ｉが開口されている。
【００１１】
収容体１２の内部には、正面側１１ａと背面側１１ｂとを仕切る仕切板１９が収容体１２を構成する各側面に対し垂直に取り付けられている。その仕切板１９の正面側１１ａ中央部には、四角筒状の電源コード収容体２０がその中心軸線が仕切板１９に対し垂直になるよう一体的に取り付けられている。電源コード収容体２０の内周面及び仕切板１９の正面により、電源コード収容部２１が構成される。収容体１２の背面側１１ｂにおいては、仕切板１９の背面及び収容体１２の背面側１１ｂ内周面によりホース収容部２２が構成される。
【００１２】
収容体１２の内部において、仕切板１９の正面、収容体１２の正面側１１ａ内周面、電源コード収容体２０の外面、及び正面側枠体１３の裏面により仕切られる空間には、導入用カプラ２３、レギュレータ２４、電磁弁２５、吐出用カプラ２６、アンテナ２７、無線受信機２８が収容されている。導入用カプラ２３は、円筒状に成形されるとともに、一方に導入端部２３ａ及び他方に接続端部２３ｂを有してなる。導入用カプラ２３は、導入端部２３ａが第２孔１２ｈから収容体１２の外部に突出され、仕切板１９に取り付けられている第１支持部材２９に支持されることにより、収容体１２に固定される。導入端部２３ａ側の開口部には、圧縮空気を配管洗浄装置外部から導入する導入口２３ｃが設けられている。レギュレータ２４は導入口２４ａ及び吐出口２４ｂを有するとともに圧力計２４ｃが一体的に取り付けられている。レギュレータ２４の導入口２４ａは、連結ホース３０を介し導入用カプラ２３の接続端部２３ｂと連結される。レギュレータ２４は凹設部１２ｃを構成する左側面１２ｂの内側に固定される。レギュレータ２４は、導入口２４ａから入ってくる圧縮空気の圧力を所望の値に調整して吐出口２４ｂから吐出させる。電磁弁２５は、導入口２５ａ及び吐出口２５ｂを有し、仕切板１９に固定される。電磁弁２５の導入口２５ａはレギュレータ２４の吐出口２４ｂと連結ホース３１を介し連結されている。電磁弁２５は、収容体１２内に収められる図示しない操作盤に接続されるとともに、操作盤を介して操作部１７により制御される。電磁弁２５は、操作部１７からの電気的な通電の有無により開閉弁の開閉操作が行なわれる。吐出用カプラ２６は、円筒状に成形されるとともに、一方に吐出端部２６ａ及び他方に接続端部２６ｂを有してなる。吐出用カプラ２６は、吐出端部２６ａが第１孔１２ｅから収容体１２外部に突出され、接続端部２６ｂが収容体１２の内面に取り付けられている第２支持部材３２に支持されることにより、収容体１２に固定される。吐出端部２６ａ側の開口部には、圧縮空気を吐出する吐出口２６ｃが設けられている。吐出用カプラ２６の接続端部２６ｂは、電磁弁２５の吐出口２５ｂと連結ホース３３を介し連結されている。アンテナ２７及び無線受信機２８は、仕切板１９にそれぞれ固定されるとともに、互いに電気的に接続されている。アンテナ２７及び無線受信機２８は、配管洗浄装置を無線遠隔操作するための図示しない無線送信機からの洗浄開始／停止信号を受信する。該洗浄開始／停止信号は無線送信機上に設けられている開始／停止用スイッチにより発信される。アンテナ２７の先端部は、伸縮可能に構成され、伸長時に第３孔１２ｉから収容体１２外部に突設されるよう配置されている。無線受信機２８は、操作盤と電気的に接続されている。
【００１３】
操作部１７は、凹設部１２ｃの内側に設けられている。操作部１７には圧力調整用つまみ３５、並びに第１タイマ３６、第２タイマ３７、第１タイマ３６と第２タイマ３７の数値を昇降させる昇降ボタン３８、圧縮空気の打ち込みを手動で開始／停止させるための手動用開始／停止スイッチ３９、リセットボタン４０及び作動確認用ＬＥＤ４１が接続される操作盤が設けられている。圧力調整用つまみ３５はレギュレータ２４に接続され、吐出口２６ｃから吐出される圧縮空気の圧力を所定の値に調整する。第１タイマ３６は、秒単位で表される１〜９９の何れか数値を表示する。第２タイマ３７は、秒単位で表される０．１〜２．０の何れかの数値を表示する。第２タイマ３７は、電磁弁２５を設定した時間おきに繰り返し開閉させることにより圧縮空気の吐出間隔を制御する。第１タイマ３６は、第２タイマ３７の作動を制御し、設定した時間おきに第２タイマ３７の作動と停止が繰り返される。電磁弁２５への通電の有無による開閉弁の開閉制御は、第１タイマ３６で設定されるオン時間内において、電磁弁２５への通電が第２タイマ３７で表示される設定時間おきに繰り返しオン／オフされることにより行なわれる。手動用開始／停止スイッチ３９の洗浄開始／停止信号により、配管内への圧縮空気の吐出開始又は停止が行なわれる。
【００１４】
正面側枠体１３には、合成樹脂により四角板状に成型され、中央下部において電源コード収容口１３ａ及び左側には圧力確認窓１３ｂが開口されている。電源コード収容口１３ａの下部には、配管洗浄装置の電源をオン／オフするための電源スイッチ４２、外部供給コンセント４３、有線コネクタ４４が取り付けられ、それぞれ操作盤に接続されている。有線コネクタ４４は、図示しない電源コードが接続される。正面側枠体１３は、複数のネジ１３ｃにより収容体１２の正面側１１ａの開口部を覆うように収容体１２に螺着される。正面側枠体１３が収容体１２に装着された際、電源コード収容口１３ａは電源コード収容部２１に連通されるとともに圧力確認窓１３ｂは圧力計２４ｃに連通される。背面側枠体１４は、合成樹脂により四角板状に成型され、ホース収容口１４ａが開口されている。背面側枠体１４は、複数のネジ１４ｂにより収容体１２の背面側１１ｂの開口部を覆うように収容体１２に螺着される。背面側枠体１４が収容体１２に装着された際、ホース収容口１４ａはホース収容部２２に連通される。
【００１５】
正面側蓋体１５と背面側蓋体１６は、それぞれ合成樹脂により四角板状に成型されている。正面側蓋体１５は正面側枠体１３と蝶番１５ａを介してそれぞれ連結されており、図３に示されるように蝶番１５ａを中心に電源コード収容口１３ａを含む正面側枠体１３の外面に対して開閉可能に構成されている。同様に、背面側蓋体１６は背面側枠体１４と蝶番１６ａを介して連結されており、図３に示されるように蝶番１６ａを中心にホース収容口１４ａを含む背面側枠体１４の外面に対して開閉可能に構成されている。
【００１６】
次に、配管洗浄装置の作用について説明する。
配管洗浄装置は、ハンドル部材１８を把持することにより持ち運び可能に構成されている。配管洗浄装置を所定の位置に配置して、電源コード収容部２１とホース収容部２２からそれぞれ電源コードと接続ホース４５，４６を取り出す。そして、図５に示されるように配管洗浄装置の外部に配置されるコンプレッサ４８の吐出口と導入用カプラ２３の導入口２３ｃを接続ホース４５を介し接続させる。吐出用カプラ２６の吐出口２６ｃは、接続ホース４６を介し把持部分が取り外された導入部としての配管４７の蛇口に接続される。そして、有線コネクタ４４に接続された電源コードが図示しない電源に接続させることにより配管洗浄装置が設置される。
【００１７】
次に、電源スイッチ４２をオンにすることにより電源を投入し、第１タイマ３６及び第２タイマ３７を点灯させる。第１タイマ３６及び第２タイマ３７は昇降ボタン３８を操作することにより、所望の値に設定させる。但し、第２タイマ３７の値が第１タイマ３６の値より大きい場合、第２タイマ３７の値はＥＲと表示される。コンプレッサ４８の電源を投入し、圧縮空気を導入用カプラ２３から配管洗浄装置内に投入する。圧縮空気の圧力は圧力計２４ｃを確認しながら圧力調整用つまみ３５を用いて調節する。まず、手動で運転させる場合、配管４７内に水を流通させながら手動用開始／停止スイッチ３９を一回押す。すると、電磁弁２５が圧縮空気の吐出を許容し、吐出口２６ｃから配管４７内へ圧縮空気の打ち込みが開始される。そして、作動確認用ＬＥＤ４１が点灯するとともに第１タイマ３６の表示がカウントダウンを始める。配管４７内では圧縮空気と水が混合されてなる混合水が流通する。この混合水が配管４７内を流通するとき、圧縮空気の衝撃波により、配管４７の内壁に付着した油分、錆、塵埃等の異物が除去され、水中に分散される。この状態で配管４７に接続された図示しない吐出部としての他の蛇口を開放することにより、除去された異物が混合水とともに吐出し、配管４７内が洗浄される。かかる洗浄運転中に手動用開始／停止スイッチ３９を再度一回押すと第２タイマ３７がオフの状態で停止し、カウントダウン中の第１タイマ３６は手動用開始／停止スイッチ３９が押された時の数値において停止する。そして電磁弁２５の圧縮空気の吐出が規制され、配管４７内へ圧縮空気の打ち込みが一時停止する。そのとき、作動確認用ＬＥＤ４１は点滅し、運転が一時停止中であることを示す。かかる一時停止中に再度手動用開始／停止スイッチ３９を一回押すと第１タイマ３６が停止した時間から作動を開始する。そして、電磁弁２５の圧縮空気の吐出が許容され、洗浄運転が再開する。第１タイマ３６の数値が０になると、第１タイマ３６は第２タイマ３７の作動を停止させて電磁弁２５の圧縮空気の吐出を規制させる。そのとき第１タイマ３６の数値は設定値に戻されるとともにカウントダウンが再開される。そして、第１タイマ３６の数値が再び０になると第２タイマ３７の作動が再開される。以上のような第１タイマ３６及び第２タイマ３７による洗浄の開始／停止が繰り返し行なわれる。第１タイマ３６のカウントダウン中又は一時停止中にリセットボタン４０を押すことにより、第１タイマ３６と第２タイマ３７の数値は運転開始直前の設定時の値に戻される。そして、洗浄運転はかかる設定値から開始される。
【００１８】
次に、配管洗浄装置を無線で運転させる場合、上記と同様に第１タイマ３６及び第２タイマ３７の値を昇降ボタン３８を用いて設定する。そして、無線送信機の開始／停止用スイッチを一回押すことにより上記と同様、第１タイマ３６がカウントダウンを始めるとともに配管４７内への圧縮空気の打ち込みが開始される。運転中に無線送信機の開始／停止用スイッチを再度一回押すと第２タイマ３７がオフの状態で停止し、カウントダウン中の第１タイマ３６は開始／停止用スイッチが押された時の数値において停止する。そのとき、作動確認用ＬＥＤ４１は点滅し、運転が一時停止中であることを示す。かかる運転の一時停止中に再度無線送信機の開始／停止用スイッチを一回押すと第１タイマ３６が停止した時間から運転が再開される。第１タイマ３６の数値が０になると、第１タイマ３６は第２タイマ３７の作動を停止させて電磁弁２５の圧縮空気の吐出を規制させる。そのとき第１タイマ３６の数値は設定値に戻されるとともにカウントダウンが再開される。そして、第１タイマ３６の数値が再び０になると第２タイマ３７の作動が再開される。以上のような第１タイマ３６及び第２タイマ３７による洗浄の開始／停止が、手動運転と同様に繰り返し行なわれる。
【００１９】
最後に、洗浄作業を終了する場合には、電源コードは、電源コード収容口１３ａから電源コード収容部２１内に収められる。配管洗浄装置から取り外された各接続ホース４５，４６はホース収容口１４ａからホース収容部２２内に収められる。そして、正面側蓋体１５と背面側蓋体１６が閉められ配管洗浄装置を持ち運び可能な状態にすることにより洗浄作業を終了する。
【００２０】
本実施形態の配管洗浄装置によれば、以下のような効果を得ることができる。
（１）本実施形態では、手動用開始／停止スイッチ３９を設けるとともに、無線送信機の開始／停止用スイッチを設けた。そして、無線送信機の開始／停止用スイッチを押した場合は、手動用開始／停止スイッチ３９を押した場合と同様に、洗浄開始／停止信号が送信され、洗浄が開始／停止するよう構成した。したがって、配管４７の圧縮空気の導入部と吐出部が離れている場合であっても、洗浄済液を確認しながら洗浄操作を行なうことができる。また、無線により開始／停止信号を送信するため、有線コードを用いた場合と比較して、容易に配管洗浄装置から離れることができるとともに、有線コードが電源コード等と縺れるおそれがない。
【００２１】
（２）本実施形態では、第２タイマ３７の作動時間を設定することにより圧縮空気の送り込み時間を制御する第１タイマ３６、及び設定した時間おきに繰り返し電磁弁２５を開閉させる第２タイマ３７を操作部１７に備えてなる。したがって、配管４７内の異物の付着の程度により圧縮空気の吐出パターンを変化させることができる。
【００２２】
（３）本実施形態では、圧縮空気の送り込み時間内において、前記手動用開始／停止スイッチ３９又は無線送信機からの停止信号により洗浄運転を一時停止させることができ、該一時停止中に手動用開始／停止スイッチ３９又は無線送信機からの開始信号により洗浄運転を再開させることができるよう構成されている。したがって、洗浄運転の途中において容易に洗浄運転の停止／再開を行なうことができる。
【００２３】
なお、上記実施形態は以下のように変更してもよい。
・圧縮空気の送り込み時間内において、手動用開始／停止スイッチ３９を押すことにより運転を一時停止し、無線送信機の開始／停止用スイッチにより運転を再開してもよい。逆に、無線送信機の開始／停止用スイッチを押すことにより運転を一時停止し、手動用開始／停止スイッチ３９により運転を再開してもよい。
【００２４】
・無線送信機上に第１タイマ３６及び第２タイマ３７の昇降ボタンを更に設け、操作部１７上の第１タイマ３６及び第２タイマ３７の数値を無線送信機により設定可能に構成してもよい。
【００２５】
・配管の大きさ、配管内の汚れの程度により、第１タイマ３６及び第２タイマ３７の数値パターンを予め幾つか記憶させておき、数値パターンを呼び出すことにより昇降ボタン３８を用いなくても第１タイマ３６及び第２タイマ３７の数値を設定可能に構成してもよい。
【００２６】
・上記実施形態では、手動用開始／停止スイッチ３９又は無線送信機上の開始／停止用スイッチにより洗浄運転の一時停止を行なった。しかしながら、操作部１７に一時停止ボタンを新たに設けることにより、洗浄運転の一時停止を行なってもよい。
【００２７】
・第１タイマ３６及び第２タイマ３７を設けず、手動用開始／停止スイッチ３９又は無線送信機上の開始／停止用スイッチのみの操作により、圧縮空気の打ち込み制御を行なう構成にしてもよい。
【００２８】
次に、上記実施形態及び別例から把握できる技術的思想について、それらの効果とともに以下に追記する。
（ａ）前記請求項において、前記操作盤には作動確認用ＬＥＤが設けられ、圧縮空気の送り込み時間内において点灯し、停止信号による一時停止中において点滅するよう構成されている遠隔操作機能付き配管洗浄装置。したがって、この（ａ）に記載される発明によれば、作動確認用ＬＥＤを目視することにより、配管洗浄装置の運転状態を確認することができる。
【００２９】
（ｂ）前記請求項において、配管の大きさ、配管内の汚れの程度により、第１タイマ及び第２タイマの数値パターンを予め記憶させておき、該数値パターンを呼び出すことにより第１タイマ及び第２タイマの数値を設定可能に構成した遠隔操作機能付き配管洗浄装置。従って、この（ｂ）に記載の発明によれば、第１タイマ及び第２タイマの設定を容易に行なうことができる。
【図面の簡単な説明】
【００３０】
【図１】蓋体を閉鎖した状態における配管洗浄装置の斜視図。（ａ）背面・上面・左側面からの斜視図。（ｂ）正面・上面・右側面からの斜視図。
【図２】（ａ）配管洗浄装置の左側面図。（ｂ）配管洗浄装置の右側面図。
【図３】蓋体を開放した状態における配管洗浄装置の斜視図。（ａ）背面・上面・左側面からの斜視図。（ｂ）正面・上面・左側面からの斜視図。
【図４】正面側蓋体及び正面側枠体を取り外した状態の配管洗浄装置の正面図。
【図５】配管洗浄装置の使用状態を示す図。
【符号の説明】
【００３１】
１１…本体ケース、１７…操作部、２３ｃ…導入口、２５…電磁弁、２６ｃ…吐出口、２８…無線受信機、３６…第１タイマ、３７…第２タイマ、３９…手動用開始／停止スイッチ、４８…コンプレッサ。
【図１】
2005238122.tif 000003
【図２】
2005238122.tif 000004
【図３】
2005238122.tif 000005
【図４】
2005238122.tif 000006
【図５】
2005238122.tif 000007